(57)【要約】【課題】種々のつば付き帽子を採用した場合であっても、レインウエアとつば付き帽子を固着することができ、強雨及び強風に十分対応することができ、自転車操作時等に十分な視界を確保することができるレインウエアを提供する。【解決手段】レインウエア１のフード１０は、着用者の顔を露出することができるように形成された第１前縁部１２を備え、第１前縁部１２は、つば付き帽子のつば部とフード１０とを取り付けるための固着手段１４ａ、１４ｂ、１４ｃを備え、フード１０は、第１前縁部１２に沿って形成され、第１前縁部１２及び固着手段１４ａ、１４ｂ、１４ｃを被覆することができる第２前縁部１６を備え、第２前縁部１６は、第１前縁部１２に沿って形成され、つば部とフード１０との密着性を高めるための絞り手段１８を有していることを特徴とする。【選択図】  図２
2018003237.tif 000002
【特許請求の範囲】
【請求項１】
つば付き帽子（３）を取り付けて使用することができるレインウエア（１）であって、
前記レインウエア（１）は、頭部を覆うためのフード（１０）と、上半身を覆うためのレインウエア本体（２０）と、を備え、
前記フード（１０）は、着用者の顔を露出することができるように形成された第１前縁部（１２）と、
前記第１前縁部（１２）は、前記つば付き帽子（３）のつば部（３４）と前記フード（１０）とを取り付けるための固着手段（１４）と、さらに、
前記第１前縁部（１２）に沿って形成され、前記第１前縁部（１２）及び前記固着手段（１４）を被覆することができる第２前縁部（１６）と、を有し、
前記第２前縁部（１６）は、前記第１前縁部（１２）に沿って形成され、前記つば部（３４）と前記フード（１０）との密着性を高めるための絞り手段（１８）を有していることを特徴とするレインウエア（１）。
【請求項２】
前記絞り手段（１８）は、弾性収縮力を有していることを特徴とする請求項１に記載のレインウエア（１）。
【請求項３】
前記つば付き帽子（３）は、サンバイザーであることを特徴とする請求項１又は２に記載のレインウエア（１）。
【発明の詳細な説明】
【技術分野】
【０００１】
本発明は、フード付きレインウエアに関する。
更に詳しくは、サンバイザー、作業用ヘルメット、キャップ等のつば付き帽子と組み合わせて使用することができるフード付きレインウエアに関する。
【背景技術】
【０００２】
近年の健康志向を背景として、自転車通勤をするビジネスマン、自転車通学をする学生が増加している。
また、日常生活において、主婦等が近郊のショッピングセンターに食料品、生活用品を購入するために用いる交通手段として自転車を使用する場合がある。
主婦等が幼児、子供と共に移動するために用いる交通手段として自転車を使用する場合がある。
【０００３】
このようなビジネスマン、学生、主婦等にとって、雨の日に晴天時と同様に活動できるようにするためのいわゆる「雨の日対策」は、きわめて重要である。
「雨の日対策」として、片手で傘を持って、もう一方の片手で自転車ハンドルを持って自転車を操作する場合がある。
このように自転車を操作することは、大変不安定な自転車操作となる。
さらに、路上を走行する際にすれ違う自動車の風圧を傘が受け、自転車の転倒を招くこととなり、危険の度合いが大きくなる。
傘を用いることにより、雨をしのぐことができる範囲は、頭部、上半身の一部程度であり、これらの部分以外は、雨によって濡れてしまう。
このため、雨対策として、傘を差す意味はほとんどない。
雨の日は、雨のみならず強風を伴うこともあるため、雨のみならず、風に対しても対応することが重要である。
【０００４】
自転車操作時は、一定のスピードを出して、周囲の安全を確認する必要がある。
歩行者、自動車、対向車、信号等を正確かつ瞬時に確認する必要がある。
このため、自転車を操作する際には、十分な視界を確保することが必要である。
このような観点から「雨の日対策」として、自転車に乗る際に用いるレインコートが提案されている（例えば、特許文献１）。
【０００５】
かかるレインコートは、サンバイザーのつばの中央表面に面ファスナーを複数設けて、レインコートの前面縁部に面ファスナーを設け、サンバイザーとレインコートを固着するものである。
しかしながら、かかるレインコートは、サンバイザーがレインコートに固着されるのみであり、サンバイザー以外のつば付き帽子には対応することができるものとなっていない。
また、上記レインコートは、面ファスナーを用いて、サンバイザーとレインコートを固着するものに過ぎないため、強雨及び強風に十分に対応することができないという問題点がある。
また、サンバイザーとレインコートのフードとの結合部分から雨による水滴が進入する場合がある。
【０００６】
一方、ダイエット、体力の向上を目的として、屋外を走行するマラソンランナー、アスリート等のスポーツマンも増加している。
かかるマラソンランナー、アスリートは、機能性及びファッション性の観点から、最も好適なつば付き帽子（キャップ）を採択して、着用者の頭部に装着する。
すなわち、「雨の日対策」として、レインコート、レインポンチョ、レインスーツ等のレインウエアを使用した場合には、強雨と強風に十分対応することができ、走行時に十分な視界を確保することができるレインウエアが必要となる。
また、工場内外の作業時、農産物を取り扱う場合の農業作業時、セシウム等の危険物質を取り扱う作業時において、作業用ヘルメットを装着した状態で、強雨と強風に十分対応することができ、作業時と同様に十分な視界を確保することができるレインウエアが必要となる。
【０００７】
なお、本出願人は、上記文献公知発明が記載された刊行物として以下の刊行物を提示する。
【先行技術文献】
【特許文献】
【０００８】
【特許文献１】特開２０１４−１１４５３２号公報
【発明の概要】
【発明が解決しようとする課題】
【０００９】
このように、自転車操作時、スポーツ時、労働作業時の雨対策として種々のレインコートが採用されている。
しかしながら、これらのレインコートは、強雨及び強風に十分対応することができない。
また、自転車操作時と同様に十分な視界を確保することができない。
また、これらのレインコートは、自転車操作時、スポーツ時、労働作業時等のそれぞれの用途に応じて対応することができるのみであり、種々のつば付き帽子を採用した場合でも広く対応することができないという問題点がある。
【００１０】
本発明は、かかる技術的事情に鑑みてなされたものであって、強雨及び強風に十分対応することができ、自転車操作時に十分な視界を確保することができ、自転車操作時、スポーツ時、労働作業時等の各種用途に応じて種々のつば付き帽子を採用した場合であっても、つば付き帽子の形状等によることなく、レインウエアとつば付き帽子を固定することができるレインウエアを提供することにある。
【００１１】
また、本発明は、簡易かつ容易につば付き帽子（サンバイザー）と、レインウエアとを固着することができると同時に脱着も素早くすることができ、強雨と強風に十分対応することができるレインウエアを提供することにある。
さらに、本発明は、自転車操作時等において、十分な視界を確保することができるファッション性に優れたレインウエアを提供することにある。
【課題を解決するための手段】
【００１２】
本件発明者等は、鋭意検討を行った結果、レインウエアのフードが着用者の顔を露出することができるように形成された第１前縁部を備え、この第１前縁部につば付き帽子のつば部とフードとを取り付けるための固着手段を設け、さらに第１前縁部に沿って形成され、第１前縁部及び固着手段を被覆することができる第２前縁部を設けることによって、レインウエアのフードとつば付き帽子のつば部を強固に固定することができることを見出し、本発明を完成するに至った。
より具体的には、本発明は、以下の技術的事項から構成される。
【００１３】
［１］つば付き帽子（３）を取り付けて使用することができるレインウエア（１）であって、
前記レインウエア（１）は、頭部を覆うためのフード（１０）と、上半身を覆うためのレインウエア本体（２０）と、を備え、
前記フード（１０）は、着用者の顔を露出することができるように形成された第１前縁部（１２）と、
前記第１前縁部（１２）は、前記つば付き帽子（３）のつば部（３４）と前記フード（１０）とを取り付けるための固着手段（１４）と、さらに、
前記第１前縁部（１２）に沿って形成され、前記第１前縁部（１２）及び前記固着手段（１４）を被覆することができる第２前縁部（１６）と、を有し、
前記第２前縁部（１６）は、前記第１前縁部（１２）に沿って形成され、前記つば部（３４）と前記フード（１０）との密着性を高めるための絞り手段（１８）を有していることを特徴とするレインウエア（１）。
【００１４】
［２］前記絞り手段（１８）は、弾性収縮力を有していることを特徴とする［１］に記載のレインウエア（１）。
【００１５】
［３］    前記つば付き帽子（３）は、サンバイザーであることを特徴とする［１］又は［２］に記載のレインウエア（１）。
【発明の効果】
【００１６】
本発明によれば、強雨及び強風に十分対応することができ、着用者が自転車操作時等に十分な視界を確保することができるファッション性に優れたレインウエアが提供される。
また、本発明によれば、サンバイザー、作業用ヘルメット、キャップ等のあらゆるつば付き帽子とレインウエアを自由に組み合わせて使用することができるレインウエアが提供される。
さらに、本発明によれば、簡易かつ容易につば付き帽子とレインウエアを固定することができると同時に、脱着も素早くすることができるレインウエアが提供される。
【図面の簡単な説明】
【００１７】
【図１】つば付き帽子（サンバイザー）を取り付けた本発明のレインウエアの外観を示した概略図である。
【図２】本発明のレインウエアの外観構造を示した概略図である。
【図３】つば付き帽子（サンバイザー）の外観構造を示した概略図である。
【図４】フードの第１前縁部、つば付き帽子（サンバイザー）、第２前縁部との固着状態を示した拡大断面図である。
【図５】第２前縁部がフードの第１前縁部を完全に被覆したレインウエアの形態を示した図である。
【図６】第２前縁部がフードの第１前縁部の一部を被覆したレインウエアの形態を示した図である。
【図７】つば付き帽子として作業用ヘルメットを取り付けたレインウエアの外観を示した概略図である。
【図８】つば付き帽子（サンバイザー）をポンチョ型レインウエアに取り付けた実施形態の外観を示した概略図である。
【発明を実施するための形態】
【００１８】
以下、適宜図面を参照しながら、本発明の好適な実施形態について詳細に説明する。
なお、以下に説明する実施形態は、特許請求の範囲に記載された本発明の内容を限定するものではない。
また、以下に説明される構成の全てが、本発明の必須要件であるとは限らない。
【００１９】
＜第１実施形態＞
図１は、つば付き帽子（３）の一例として、サンバイザーを採択し、当該サンバイザーを本発明に係るレインウエア（１）に取り付けた外観を示した概略図である。
図１に示されるように本発明のレインウエア（１）は、つば付き帽子を取り付けて好適に使用することができる。
本発明のレインウエア（１）に取り付けることができるつば付き帽子（３）は、つば部を備えているものであれば、特に制限されるものでなく、種々のつば付き帽子を採用することができる。
第１実施形態では、本発明のレインウエア（１）に取り付けるつば付き帽子（３）として、サンバイザーを採用した形態を説明する。
【００２０】
図２は、本発明のレインウエア（１）の外観を示した概略図である。
レインウエア（１）は、頭部を覆うためのフード（１０）と、上半身を覆うためのレインウエア本体（２０）と、を備えている。
レインウエア（１）を構成するレインウエア（２０）は、特に限定されるものではなく、上半身のみを覆うレインコート、上半身のみならず自転車の前席を覆うレインウエア、レインポンチョ、スキー用ポンチョ等を含む。
すなわち、本発明のレインウエア（１）は、レインウエアの用途に応じて適宜変更した形態のレインウエアを含む。
【００２１】
フード（１０）は、着用者の顔を露出することができるように形成された第１前縁部（１２）を備えている。
第１前縁部（１２）によって開口部ｆが形成される。
着用者は、開口部ｆによって、十分な視界を確保することができる。
図２に示すように開口部ｆは、着用者の顔面において、少なくとも両目及び鼻の周辺が露出するために十分な領域を確保している。
【００２２】
第１前縁部（１２）は、フード（１０）の開口部ｆを形成し、着用者の顔面に接している縁部である。
図２に示されるように、第１前縁部（１２）の形態は、フード（１０）の開口部ｆに沿った帯形状である。
第１前縁部（１２）は、つば付き帽子（３）（サンバイザー）のつば部（３４）とフード（１０）とを取り付けるための固着手段（１４）を備えている。かかる固着手段（１４）によって、つば付き帽子（３）（サンバイザー）のつば部（３４）は、フード（１０）の第１前縁部（１２）を介して、フード（１０）と強固に固定される。
【００２３】
第１前縁部（１２）に設けられた固着手段（１４）は、つば付き帽子（３）（サンバイザー）のつば部（３４）とフード（１０）とを強固に固着することができ、かつ簡易かつ容易に脱着することができるものであれば特に限定されない。
固着手段（１４）としては、ボタン・ホック、レールファスナー、面ファスナー、マジックテープ（登録商標）等を採用することができる。
つば部（３４）とフード（１０）とを強固に固着することができるという観点から、ボタン・ホックを採用することが好ましい。
また、固着手段（１４）として、ボタン・ホックを採用した場合には、製造コストの低減、製造プロセスの削減を図ることができるため好ましい。
【００２４】
固着手段（１４）として、ボタンを採用した場合には、当該ボタンを第１前縁部（１２）に等間隔にバランスよく設置することが好ましい。
図２に示された本発明のレインウエアは、固着手段（１４）として、３個のボタン（１４ａ、１４ｂ、１４ｃ）を採用している。３個のボタン（１４ａ、１４ｂ、１４ｃ）は、第１前縁部（１２）に沿って、ボタン１４ｂを中心に右側にボタン１４ａ、左側にボタン１４ｂがそれぞれ等間隔に設けられている。
固着手段（１４）として採用されている、３個のボタン（１４ａ、１４ｂ、１４ｃ）は、下に凸の形状を有している。
なお、固着手段（１４）の個数は、１個であっても、複数であってもよい。
つば付き帽子（サンバイザー）（３）のつば部（３４）とフード（１０）とを強固に固着することができ、かつ簡易かつ容易に脱着することができるものであれば、特に限定されない。
例えば、固着手段（１４）として、マジックテープ（登録商標）を採用して、第１前縁部（１２）に当該マジックテープ（登録商標）を１個取り付けることも可能である。
【００２５】
固着手段（１４）は、つば付き帽子（３）（サンバイザー）のつば部（３４）の材質、形状によって、適宜採択することができる。
なお、後述するように第１前縁部（１２）に設けられたかかる固着手段（１４）に対応して、つば付き帽子（３）（サンバイザー）のつば部（３４）にも固着手段（３８）を設ける必要がある。
【００２６】
さらに、フード（１０）は、第１前縁部（１２）に沿って形成され、第１前縁部（１２）及び固着手段（１４）を被覆することができる第２前縁部（１６）を備えている。
第２前縁部（１６）は、着用者の顔を露出することができるように形成された第１前縁部（１２）に沿って形成され、第１前縁部（１２）及び固着手段（１４）を完全に被覆することができるように設計されている。
このため、第２前縁部（１６）の面積は、第１前縁部（１２）の面積よりも大きい。
【００２７】
第２前縁部（１６）は、フード（１０）の開口部ｆに沿って形成された第１前縁部の端部（１２２）を始点に固定されている。
第１前縁部の端部（１２２）は、第１前縁部（１２）を構成するフード（１０）の開口部ｆの奥行方向に位置し、かつフード（１０）の開口部ｆに沿って形成されている。
レインウエア（１）の着用者は、必要に応じて、第１前縁部の端部（１２２）を始点として、第２前縁部（１６）を開口部ｆの上下方向に動かすことにより、第２前縁部（１６）の使用形態を適宜変化させることができる。
本発明のレインウエア（１）は、フード（１０）の開口部ｆに沿って形成された前縁部として、第１前縁部（１２）及び第２前縁部（１６）を有している。
すなわち、本発明のレインウエア（１）は、つば付き帽子（３）のつば部（３４）とフード（１０）とを固定するための第１前縁部（１２）と、さらにフード（１０）とつば付き帽子（３）（サンバイザー）との固定を安定化させるための第２前縁部（１６）とを備えている点に技術的特徴を有する。
【００２８】
第２前縁部（１６）は、第１前縁部（１２）に沿って形成され、つば付き帽子（３）のつば部（３４）とフード（１０）との密着性を高めるための絞り手段（１８）を有している。
絞り手段（１８）は、弾性収縮力を備えている。
絞り手段（１８）が備えている弾性収縮力によって、つば付き帽子（３）（サンバイザー）のつば部（３４）とフード（１０）との密着性をさらに高めることができる。
弾性収縮力によって、第２前縁部（１６）がつば付き帽子（３）（サンバイザー）のつば部（３４）に密着するように絞られる。
その結果、つば付き帽子（３）（サンバイザー）のつば部（３４）とフード（１０）を固定した後の状態から、第１前縁部（１２）を第２前縁部（１６）によって完全に被覆し、さらに、絞り手段（１８）によって絞りを加えることによって、つば部（３４）と前記フード（１０）との密着性をさらに高めることができる。
【００２９】
絞り手段（１８）は、弾性収縮力を有していれば、その形態は、特に制限されるものではない。
例えば、絞り手段（１８）の形態を袋帯として構成し、当該袋帯に弾性収縮力を有する部材を挿入してもよい。
絞り手段（１８）をゴム紐のように、それ自体が弾性収縮力を有した部材（１８３）によって構成してもよい。
また、絞り手段（１８）は、非伸縮性の紐等の部材（１８３）によって形成してもよい。
絞り手段（１８）を第２前縁部（１６）の内部に設けて、第２前縁部（１６）の内部に上記弾性収縮力を有した部材（１８３）又は非伸縮性の紐等の部材（１８３）を挿入して構成してもよい。
絞り手段（１８）として、非伸縮性の部材（１８３）を採用した場合には、第２前縁部（１６）の左右両端から非伸縮性の部材（１８３）の端をそれぞれ外部に露出させて、着用者が絞り込みをするために必要な部材（１８２）を設けていてもよい。
第２前縁部（１６）の左右両端から露出している非伸縮性の部材（１８３）を着用者の顔面下のあご部分で結んで固定してもよい。
【００３０】
図３は、本発明のレインウエア（１）に取り付けられるつば付き帽子（３）の一例であるサンバイザーの外観構造を示した概略図である。
つば付き帽子（３）サンバイザーは、つば付き帽子（３）サンバイザーを頭部に装着するためのベルト（３２）と、留め具（３６）を介して、ベルト（３２）に固定されているつば部（３４）を備えている。
つば部（３４）の外縁は、つば部外縁部（３４２）によって、縁取られている。
なお、つば付き帽子（３）サンバイザーのつば部（３４）は、着用者の視界を十分に確保するために無色透明又は有色透明となっている。
【００３１】
つば部（３４）は、第１前縁部（１２）に設けられたつば部（３４）とフード（１０）とを取り付けるための固着手段（１４）に対応した固着手段（３８）を備えている。
すなわち、つば部（３４）には、第１前縁部（１２）に設けられている固着手段（１４）と物理的に結合することができる固着手段（３８）を備えている。
図３において、つば部（３４）に設けられた固着手段（３８）は、第１前縁部（１２）の固着手段（１４）である３個のボタン（１４ａ、１４ｂ、１４ｃ）に対応して、３個のボタン（３８ａ、３８ｂ、３８ｃ）を備えている。
固着手段（３８）は、第１前縁部に設けられている固着手段（１４）と固着することができる構造を備えている。
固着手段（１４）は、下方に凸の構造を有しているので、固着手段（３８）は、固着手段（１４）と勘合することができるように上方に凹の構造を有している。
【００３２】
図４は、フード（１０）の第１前縁部（１２）とつば付き帽子（３）（サンバイザー）のつば部（３４）との固着状態を示した拡大断面図である。
図４において、つば付き帽子（３）（サンバイザー）のつば部（３４）は、第１前縁部（１２）の中央部に設けられている固着手段（１４ｂ）と物理的に結合することができる固着手段（３８ｂ）を有している。
つば付き帽子（３）（サンバイザー）のつば部（３４）の上方より、フード（１０）の第１前縁部（１２）の裏面となる（１２ｂ）が重ね合わされる。
固着手段（１４ｂ）であるボタンの第１前縁部（１２）の裏面となる（１２ｂ）に突出している凸部が固着手段（３８ｂ）の凹部に嵌合する。
このように第１前縁部（１２）に設けられている固着手段（１４ｂ）とつば部（３４）に設けられている固着手段（３８ｂ）が嵌合することにより、第１前縁部（１２）とつば部（３４）が物理的に結合する。
フード（１０）とつば付き帽子（３）（サンバイザー）とが一体となる。
【００３３】
同様に、第１前縁部（１２）に設けられている固着手段（１４ａ）とつば付き帽子（３）（サンバイザー）のつば部（３４）に設けられている固着手段（３８ａ）が嵌合し、第１前縁部（１２）に設けられている固着手段（１４ｃ）とつば部（３４）に設けられている固着手段（３８ｃ）がそれぞれ嵌合することにより、第１前縁部（１２）とつば付き帽子（３）（サンバイザー）のつば部（３４）が物理的に結合する。
フード（１０）とつば付き帽子（３）（サンバイザー）は、３個の固定手段（３８）によって、つば付き帽子（３）とレインウエア（１）とが一体となる。
【００３４】
第２前縁部（１６）は、第１前縁部（１２）に設けられたつば付き帽子（３）（サンバイザー）のつば部（３４）とフード（１０）とを取り付けるための固着手段（１４）に対応した固着手段（３８）が嵌合して物理的に結合した後に、第２前縁部（１６）は、第１前縁部（１２）の表面（１２ａ）と接触するように第１前縁部（１２）の表面の上方から第１前縁部（１２）の全体を覆う。第１前縁部（１２）の上方から、第１前縁部（１２）の全体を覆う。
【００３５】
図５は、第２前縁部（１６）がフード（１０）の第１前縁部を完全に被覆したレインウエア（１）の形態を示した図である。
図５に示されたレインウエア（１）の形態は、強雨及び強風が、着用者の顔面に直接あたる場合に有効な使用形態である。かかるレインウエアの形態は、第１前縁部（１２）に設けられた固定手段（１４）によって、フード（１０）とつば付き帽子（３）（サンバイザー）を強固に固定している。
さらに、第２前縁部（１６）によって、第１前縁部（１２）が完全に被覆されているから、強風により、フード（１０）とつば付き帽子（３）（サンバイザー）が剥離することもない。
また、第２前縁部（１６）によって、第１前縁部（１２）が完全に被覆されているから、強雨によって、雨水の水滴がフード（１０）とつば付き帽子（３）（サンバイザー）の間に流入することもない。
着用者の顔面が雨水の水滴によって濡れて、十分な視界を確保することができないという事態を回避することができる。
【００３６】
図６は、第２前縁部（１６）がフード（１０）の第１前縁部（１２）の一部を被覆したレインウエアの形態を示した図である。
図６に示されたレインウエア（１）の形態は、鉛直方向の強雨に対して有効な使用形態である。
図６に示されたレインウエア（１）において、第２前縁部（１６）は、鉛直方向に第２前縁部（１６）の端部が向いているため、強雨による雨水の水滴をフード（１０）の窪みに貯めることができる。
このため、つば付き帽子（３）（サンバイザー）のつば部（３４）には、水滴が流入することがなく、着用者の良好な視界を確保することができる。
【００３７】
＜第２実施形態＞
第２実施形態は、第１実施形態において用いたつば付き帽子（３）（サンバイザー）に換えて、つば付き帽子（３）として、作業用ヘルメット（４）を採用した実施形態である。
図７は、つば付き帽子として作業用ヘルメット（４）を採用した場合において、本発明のレインウエア（１）を作業用ヘルメット（４）に取り付けた実施形態である。
第２実施形態において用いられる作業用ヘルメットは、第１前縁部（１２）の固着手段（１４）である３個のボタン（１４ａ、１４ｂ、１４ｃ）に対応して、作業用ヘルメット（４）のつば部（４４）に３個のボタン（４８ａ、４８ｂ、４８ｃ）を備えている。
【００３８】
作業用ヘルメット（４）は、第１前縁部（１２）の固着手段（１４）である３個のボタン（１４ａ、１４ｂ、１４ｃ）に対応して、３個のボタン（４８ａ、４８ｂ、４８ｃ）を備えている。
固定手段（４８ａ、４８ｂ、４８ｃ）は、それぞれ対応する第１前縁部の固着手段（１４ａ、１４ｂ、１４ｃ）と嵌合する。
作業用ヘルメット（４）のつば部（４４）は、と第１前縁部（１２）と固着する。
その結果、作業用ヘルメット（４）はフード（１０）と物理的に結合する。
【００３９】
実施形態２のレインウエア（１）は、第１前縁部（１２）によって、フード（１０）とつば付き帽子（４）（作業用ヘルメット）を強固に固定化している。
さらに、第２前縁部（１６）によって、第１前縁部（１２）が完全に被覆されているから、強風により、フード（１０）とつば付き帽子（４）（作業用ヘルメット）が剥離することもない。
また、第２前縁部（１６）によって、第１前縁部（１２）が完全に被覆されているから、強雨によって、雨水の水滴がフード（１０）とつば付き帽子（４）（作業用ヘルメット）の間に流入することもない。
特に、屋外における作業環境においては、実施形態２の技術的意義は、大きい。
実施形態２のレインウエア（１）が用いられる強雨及び強風の環境下において、着用者自身が作業をするため、フード（１０）とつば付き帽子（４）（作業用ヘルメット）が作業に伴う動作により剥離することも考えられる。
このため、強雨及び強風による雨水の水滴が作業用ヘルメット（４）とフード（１０）の隙間から流入し易いとも考えられる。
【００４０】
しかしながら、本発明のレインウエア（１）によれば、強雨及び強風の環境下であっても、フード（１０）とつば付き帽子（４）（作業用ヘルメット）とが強固に固定化され、第２前縁部（１６）によって、第１前縁部（１２）が完全に被覆されているから、上記説明したような事態が発生することもない。
【００４１】
＜第３実施形態＞
図８は、実施形態１において、レインウエア本体（２０）をポンチョ型のレインウエアとした実施形態である。
実施形態３のレインウエア本体（２０）は、レインウエア本体下部（２１０）を下方に向けて、自転車のハンドル、前籠をカバーすることができるように前方に末広がりの形状とし、着用者の上半身のみならず下半身も覆うように設計されている。
なお、実施形態３においては、つば付き帽子（３）として、実施形態１と同様にサンバイザーを採用した。
【００４２】
図８に示されたレインウエア（１）は、レインウエア本体下部（２１０）を変化させた場合であっても、第１前縁部（１２）によって、フード（１０）とつば付き帽子（３）（サンバイザー）とを強固に固定している。
さらに、第２前縁部（１６）によって、第１前縁部（１２）が完全に被覆されているから、強風により、フード（１０）とつば付き帽子（３）（サンバイザー）が剥離することもない。
【００４３】
実施形態１〜３からも明らかなように、本発明のレインウエア（１）は、第１前縁部（１２）に設けられた固定手段（１４）によって、フード（１０）とつば付き帽子（３）とを強固に固定して、さらに、第２前縁部（１６）によって、第１前縁部（１２）を完全に被覆し、さらに、絞り手段（１８）によって、第２前縁部（１６）を絞ることによって、フード（１０）とつば付き帽子（３）との密着性を向上させている。
【００４４】
本発明のレインウエア（１）は、このような構造を備えているので、強風により、フード（１０）とつば付き帽子（３）（サンバイザー・作業用ヘルメット）とが剥離することもない。
また、第２前縁部（１６）によって、第１前縁部（１２）が完全に被覆されているから、強雨によって、雨水の水滴がフード（１０）とつば付き帽子（３）（ヘルメット）の間に流入することもないという利点を有する。
【産業上の利用可能性】
【００４５】
本発明のレインウエア（１）によれば、自転車操作時、スポーツ時、労働作業時等の用途に応じて種々のつば付き帽子を採用した場合であっても、つば付き帽子の形状等によることなく、レインウエアとつば付き帽子を固着することができる。
また、本発明のレインウエア（１）は、強雨と強風に十分対応することができ、自転車操作時等においても着用者の十分な視界を確保することができる。
したがって、本発明は、あらゆるレインウエア製造業のみならず、スポーツ用品業界、作業用衣料業界の発達に大いに貢献する。
【符号の説明】
【００４６】
１        レインウエア
１０      フード
１２      第１前縁部
１２ａ    第１前縁部（表）
１２ｂ    第１前縁部（裏）
１４      固定手段
１４ａ    固定手段（ボタン  右）
１４ｂ    固定手段（ボタン  中央）
１４ｃ    固定手段（ボタン  左）
１６      第２前縁部
１６２    第２前縁部（表）
１６４    第２前縁部（裏）
１８      絞り手段
１８２    絞り込み用部材
１８３    非伸縮性部材（紐）
２０      レインウエア本体
２１０    レインウエア本体下部
３        つば付き帽子（サンバイザー）
３２      ベルト
３４      つば部
３４２    つば部外縁部
３６      留め具
３８ａ    固定手段（ボタン  右）
３８ｂ    固定手段（ボタン  中央）
３８ｃ    固定手段（ボタン  左）
４        つば付き帽子（作業用ヘルメット）
４４      つば部
４８ａ    固定手段（ボタン  右）
４８ｂ    固定手段（ボタン  中央）
４８ｃ    固定手段（ボタン  左）
【図１】
2018003237.tif 000003
【図２】
2018003237.tif 000004
【図３】
2018003237.tif 000005
【図４】
2018003237.tif 000006
【図５】
2018003237.tif 000007
【図６】
2018003237.tif 000008
【図７】
2018003237.tif 000009
【図８】
2018003237.tif 000010